(57)【要約】【課題】  放熱性が良く、しかも発射装置を構成する発射ハンドルから入り込む静電気に起因して発射制御基板に実装された部品等に悪影響を与えることのない、放熱対策及び静電気対策を施した遊技機用電源装置を提供することを目的とする。【解決手段】  外部より供給された電源から遊技台に搭載される各制御基板に供給される動作電源を生成する電源回路基板を取付けるとともに、該電源回路基板の近傍に放熱フィンを一体に形成してなる熱伝導性の良い材料からなる基台を設け、該基台に、遊技球を遊技盤面へ発射させる遊技球発射機構と該遊技球発射機構の槌の打撃を制御する発射制御基板とを搭載し、前記電源回路基板から前記各制御基板に動作電源を供給可能とするとともに基台に搭載された前記発射制御基板に動作電源を供給してなる遊技機用電源装置を構成する。【選択図】  図２
2006198121.tif 000002
【特許請求の範囲】
【請求項１】
外部より供給された電源から遊技台に搭載される少なくとも主制御基板、賞球払出制御基板及び発射制御基板を含む各制御基板に供給される異なる複数の動作電源を生成する電源回路基板を取付けるとともに、該電源回路基板の近傍に放熱フィンを一体に形成してなる熱伝導性の良い材料からなる基台を設け、
該基台に、遊技台に取付けられる発射ハンドルの操作に基づいて遊技球を打撃する槌により遊技球を遊技盤面へ発射させる遊技球発射機構と該遊技球発射機構の槌の打撃を制御する発射制御基板とを搭載し、
前記電源回路基板から前記各制御基板に動作電源を供給可能とするとともに基台に搭載された前記発射制御基板に動作電源を供給してなる遊技機用電源装置。
【請求項２】
前記基台に形成される放熱フィンを含む放熱部材を、前記電源回路基板の外周側に沿うカバーの一部に兼用して設けた
請求項１記載の遊技機用電源装置。
【発明の詳細な説明】
【技術分野】
【０００１】
この発明は、例えばパチンコ遊技機やアレンジボール式遊技機などの遊技機の遊技台に取付けられて用いられる遊技機用電源装置に関し、さらに詳しくは遊技球の発射機能を備えた遊技機用電源装置に関する。
【背景技術】
【０００２】
パチンコ遊技機における電源装置は、例えば、特許文献１に開示されているように、遊技台の裏面側に配設された遊技制御用の主制御基板を始めとする賞球制御基板などの各種制御基板に、遊技台の外部から供給された電源から複数の電圧の異なる動作電源を生成して各々の動作電源を供給している。
【０００３】
上述の電源装置は電源回路基板に実装したパワートランジスタなどのスイッチング素子から生じる発熱が、他の制御回路基板などに悪影響を与えないように対処している。例えば、電源装置自体の放熱効率を良くするように工夫したり電源装置の配置を工夫したりしている。
【０００４】
近年、遊技機の遊技性を高めるため遊技台の中央に配置された図柄表示装置が大型化して遊技台に占める領域が大きくなり、遊技台裏面側の空きスペースが減少している。このため、遊技台裏面側に配置される各種制御基板や電源装置などの小型化が要求されている。特に、電源装置は各種制御基板に電力線が配線して接続されるため、配線作業の効率良い配置や、狭い領域に配置する工夫が望まれるとともに、より一層の小型化や放熱性の良さなどが要求されている。
【０００５】
しかし、電源回路基板から発生する発熱を効率よく放熱させようとすると、放熱板回路基板を取付ける基台や放熱フィンなどを大きくする必要があり装置が大型化してしまう問題があった。
【０００６】
一方、遊技台裏面側には遊技球を発射させる発射装置が取付けられており、装置内の回動するレバーの先端に設けられた槌により遊技球を打撃して盤面へ発射させている。また遊技台表面側には発射操作させる発射ハンドルが取付けられており、この発射ハンドルには遊技者の手が触れたことを検出するタッチセンサが設けられている。発射ハンドルの操作時において、遊技者に帯電した静電気が（数ＫＶ〜２０ＫＶの帯電電位）はタッチセンサを通じて接続されている発射制御基板を介しグランドに落ちる。このため大容量の静電気が生じた場合などは、発射制御基板に実装されたトランジスタやＩＣなどを誤動作させる原因となっていた。
【０００７】
特に、発射制御基板と、この基板に電源を供給する電源回路基板が離れた位置にあると、その間を接続するハーネスの距離が長くなり、ハーネスの持つ内部抵抗が大きくなり両基板間の抵抗が増大する。このため大容量の静電気がタッチセンサに放電されると、静電気は発射制御基板のグランドに放電しようとするため、上述した部品の破壊や誤動作につながっていた。
【０００８】
【特許文献１】特開２０００−５３８６号公報。
【発明の開示】
【発明が解決しようとする課題】
【０００９】
そこでこの発明は、放熱性が良く、しかも発射ハンドルから入り込む静電気に起因して発射制御基板に実装された部品等に悪影響を与えることのない、放熱対策及び静電気対策を施した遊技機用電源装置を提供することを目的とする。
【課題を解決するための手段】
【００１０】
この発明は、外部より供給された電源から遊技台に搭載される少なくとも主制御基板、賞球払出制御基板及び発射制御基板を含む各制御基板に供給される異なる複数の動作電源を生成する電源回路基板を取付けるとともに、該電源回路基板の近傍に放熱フィンを一体に形成してなる熱伝導性の良い材料からなる基台を設け、該基台に、遊技台に取付けられる発射ハンドルの操作に基づいて遊技球を打撃する槌により遊技球を遊技盤面へ発射させる遊技球発射機構と該遊技球発射機構の槌の打撃を制御する発射制御基板とを搭載し、前記電源回路基板から前記各制御基板に動作電源を供給可能とするとともに基台に搭載された前記発射制御基板に動作電源を供給してなる遊技機用電源装置であることを特徴とする。
【００１１】
この発明によると、電源回路基板を取付ける熱伝導性の良い基台に発射機構も搭載するようにしたので、発射機構を搭載した部分の基台が大きくなることにより、結果的に放熱面積を大きくでき電源装置としての放熱性を向上させることができる。
また、各制御基板に電源を供給する電源の供給機能と、遊技球を遊技盤面に発射させる発射機能との２種類の異なった機能を一つの基台上に有しているため、電源回路基板と遊技球発射機構とを単一の製品として扱うことができる。このため、製品としての管理が容易になり、遊技台への取付け作業も簡単になる。
【００１２】
さらに、発熱の伴う電源回路基板を搭載する基台には、該電源回路基板の近傍に放熱フィンを一体に形成しているため、この放熱フィンからの効率の良い放熱効果が得られる。例えば、パワートランジスタなどの最も発熱量の大きい素子に放熱フィンを近づけて配置するため効率のよい放熱作用が得られる。
【００１３】
また、電源回路基板と発射制御基板とを近づけた配置構成であるため、その間を接続するハーネスの距離が短くなり、ハーネスの持つ内部抵抗を小さくすることができる。このため、大容量の静電気は発射制御基板のグランドで放電しにくくなり、発射制御基板に実装されたトランジスタやＩＣなどの部品の破壊や誤動作を少なくすることができる。
【００１４】
このほかにも基台に形成される放熱フィンを含む放熱部材を、前記電源回路基板の外周側に沿うカバーの一部に兼用して設けることができる。
【００１５】
この場合は、放熱部材が外壁部材としてカバーの一部を兼ねるため、カバーは基台上の全ての部品を囲う必要がなくなることから一部を省略してカバーの形状をシンプルにできる。
【発明の効果】
【００１６】
この発明によれば、電源回路基板を取付ける基台に発射機構も搭載するようにしたので、単に電源部分の基台を大きくするのではなく搭載した部分の基台が大きくなることにより、結果的に基台の大きさを確保でき電源装置としての放熱性を向上させることができる。
【００１７】
また、１つの基台上に電源回路基板と遊技球発射機構とを搭載して、電源の供給機能と遊技球の発射機能との両機能を持たせることができるため、単一の製品として扱うことができる。このため、製品としての管理が容易になり、遊技台への取付けも簡単になる。
【００１８】
また、電源回路基板と発射制御基板との間を電気的に接続するハーネスの距離を短くできるため静電気による悪影響を受け難くなり、発射制御基板に実装されているトランジスタやＩＣなどの部品の保護を図ることができる。
【実施例】
【００１９】
この発明の一実施例を以下図面に基づいて説明する。  
図１はパチンコ遊技機の遊技台１１の表側を示し、この遊技台１１の表側上部の正面に遊技表示装置などを備えた遊技盤面１２を有し、その下部に上皿１３と下皿１４とを有している。さらに、遊技台１１の右下側には遊技者が遊技球（以下、球と称す）の発射を制御する球発射用の発射ハンドル１５を備えており、該発射ハンドル１５は外周面に回動可能に支持されたハンドルレバー１５ａを有し、該ハンドルレバー１５ａを遊技者が回動操作したとき、その回動量に応じて、後述する盤面裏側の発射装置より球を１球ずつ発射させ、発射された球は搬送レール１２ａに沿って遊技盤面１２へと供給されて遊技が開始される。
【００２０】
また、上述のハンドルレバー１５ａは合成樹脂の表面に導電性の金属メッキを施し、遊技者が発射ハンドル１５に触れたことを検知するタッチセンサの電極を形成している。
【００２１】
図２は遊技台１１の盤面裏側を示し、この遊技台１１の盤面裏側の上部には球を貯留する貯留タンク１６と、該貯留タンク１６から球を整列して流下させる整列通路１７と、この整列通路１７からの球を上皿１３に払い出すための球払出装置１８とを有し、盤面裏側には大型の表示装置や制御部等の多くの基板を有する基板部１９を備えている。
【００２２】
さらに、盤面裏側の左下側には遊技盤面１２に向けて球を打ち出すとともに、その球の発射力を調整する機能を備えた発射機能付き電源装置２０を有している。この発射機能付き電源装置２０には上皿１３に貯留されている球が該上皿１３から整列して順に供給される。
【００２３】
次に、発射機能付き電源装置２０の全体的な構造を図３〜図５に示し、その内部の構造を図６及び図７について説明する。  
この発射機能付き電源装置２０は、遊技台１１の盤面表側に突出して設けられる発射ハンドル１５と対応する盤面裏側に設置され、電源ユニット２１と発射ユニット２２との両ユニット２１，２２を一体に組合せて構成される。
【００２４】
前記電源ユニット２１は外部から導入した電源から電圧の異なる複数の動作電源を生成し、これらの生成した動作電源を、コネクタＣＮ２を介して各制御基板へと供給する電源回路基板２３と、この電源回路基板２３に搭載されている素子２４から発生した熱を外部に放熱させる放熱部２５とを有している。
【００２５】
前記電源ユニット２１と発射ユニット２２とは１枚の横長の基台２６に左右に並列して搭載し、その搭載面側の全体を金属製のカバー２７で覆っている。
【００２６】
前記基台２６は放熱性の良いアルミダイカストであり、この基台２６の一方に、パワートランジスタ等のトランジスタ群２４ａ、コンデンサ２４ｂ…の各素子２４を搭載した電源回路基板２３をビス止めして固定している。
【００２７】
前記放熱部２５は放熱性(熱伝導性)の良好な前記基台２６と、この基台２６に一体に形成される放熱板２８と放熱フィン（ヒートシンク）２９とから構成され、これらの放熱性の優れた金属製の材質で囲まれる電源回路基板２３に搭載されている素子２４が過熱したときの発熱を吸収して放熱させるものである。
【００２８】
前記放熱板２８と放熱フィン２９とは基台２６の平面上からＬ形に垂直に起立させ、長方形を有する電源回路基板２３の１つの角部の外周に沿うＬ形の一方の辺（電源回路基板の長手方向の辺）に放熱板２８を、他方の辺（電源回路基板の短手方向の辺）に放熱フィン２９を対応させて有している。
【００２９】
この場合、放熱板２８は素子２４からの発熱を吸収除去するのに適した大きさに設けている。すなわち、放熱板２８は放熱効果が得られる電源回路基板２３の全長に対応する長さを有し、また電源回路基板２３に搭載された素子高さ（搭載高さ）に対応する長さを有している。また、放熱フィン２９は外方に向けて表面積の大きい櫛歯状を有し、この放熱フィン２９が発射機能付き電源装置２０の一端面側に突出している。さらに、基台２６から垂直に立ち上がる放熱板２８の立ち上がり角部には放熱性を高める溝状の放熱窓２８ａを一定間隔ごとに開口している。
【００３０】
このように放熱板２８と放熱フィン２９と基台２６とは一体化して１部品として扱うことができる。特に、放熱板２８と放熱フィン２９とは電源回路基板２３の外周側に沿うカバー２７の一部に該当する外壁部材を兼ねて配置できるため、基台２６上に放熱部材として放熱板２８と放熱フィン２９とを構築しても、発射機能付き電源装置２０に小さく組込んで構成するのに適した効率のよい配置形状になり、低コスト化が図れるほか、取扱いが容易なため組立てが簡単になる利点がある。
【００３１】
ことに、電源回路基板２３に搭載されている各種素子２４のうち、発熱量の最も大きいパワートランジスタ等のトランジスタ群２４ａを外壁面側に沿わせて整列して配置し、これらのトランジスタ群２４ａに放熱板２８を近づけて配置している。このため、十分に放熱性を高めることができ、効率のよい放熱作用が得られる。
【００３２】
特に、発熱量の大きいトランジスタ群２４ａに対しては断面略コ形状の素子押え板３０で該トランジスタ群２４ａを押え付けている。これにより、放熱板２８とトランジスタ群２４ａとを、より密着させている。この素子押え板３０を設けることによって、他の素子に比べて発熱量の大きいトランジスタ群２４ａを放熱板２８に螺子などで取付けるという組立作業を省略でき、簡単な方法でトランジスタ群２４ａを放熱板２８に密着させることができる。
【００３３】
このように構成することによって、放熱板２８と放熱フィン２９だけでなく、基台２６及び該基台２６を通じて搭載される発射ユニット２２及びその筐体に相当するカバー２７によって放熱面積を増やすことができ、電源回路基板２３の熱発生要因の素子２４から発せられる熱を効率よく放熱させることができる。
【００３４】
ところで、基台２６の他方に搭載される発射ユニット２２は、図７に示すように、発射ハンドル１５の操作を電気的に検知して起動する発射駆動用の発射モータＭ１を有しており、この発射モータＭ１の出力に基づいて駆動される槌３１の打力により球を打撃して発射させる発射部３２と、発射ハンドル１５の回動量に応じて槌３１の打力の強弱を調整する発射力調整部３３と、発射部３２の発射位置に球を１個ずつ供給する球供給部３４と、これらを制御する発射制御基板３５とを有している。
【００３５】
前記発射部３２は発射駆動源となる発射モータＭ１と、この発射モータＭ１からの出力を、駆動力伝達部３６を介して槌３１に伝達させるカム３７と、このカム３７の回転位置を検知するカム位置検知センサＳ１と、これらを固定または支持する固定板３８及びブラケット３９と、発射制御基板３５とから構成される。
【００３６】
前記発射モータＭ１は発射ハンドル１５の操作に応じて駆動される。そして、この発射モータＭ１の駆動に基づいて駆動力伝達部３６及びカム３７を介して槌３１は発射待機位置へと回動し、この発射待機位置から振り子状に回動して球を打撃する。このときの打撃強さは発射ハンドル１５の回動量に応じて所望の打撃強さ（付勢力）に発射力調整部３３で調整される。
【００３７】
この発射力調整部３３はハンドルレバー１５ａと、調整バネ３３ａを内蔵した回転体３３ｂとの間をワイヤ３３ｃを介して張設した連動構成をとって、槌３１に対する付勢力を強弱調整自在に設けている。
【００３８】
また、球を打撃する発射位置には発射動作（例えばカム３７が１回転する動き）に連動させて球を１個ずつ供給動作する球供給部３４から球が１個ずつ供給される。そして、発射モータＭ１の駆動に基づいてカム３７が１回転したとき、槌３１は発射位置に待機されていた球に槌３１の先端が衝突し、その威力で球は発射される。
【００３９】
図８は発射機能付き電源装置２０の回路ブロック図を示し、該発射機能付き電源装置２０は電源回路基板２３に動作電源を生成する電源回路８１を搭載することによって構成している。上述の電源回路８１は、外部から導入される外部電源８２（例えばＡＣ２４Ｖ）を遊技機で使用する複数の電圧の異なる動作電源に生成して供給する。例えば、ＤＣ５Ｖ・ＤＣ１２Ｖ・ＤＣ２４Ｖなどの動作電源を生成する。
【００４０】
この電源回路基板２３から動作電源を振分けて供給する各々の供給先の制御基板には中継基板８３を介して各基板にハーネスが配線接続されている。前記制御基板として、先ず、遊技盤面及びパチンコ遊技機の枠側に配設された各種ランプ／ＬＥＤへの電源や信号の制御を行う電飾装置８４の電飾制御基板８５が設けられている。この電飾制御基板８５に対して動作電源が供給される。該電飾制御基板８５からは動作電源を中継する枠用ランプ中継基板８６と盤面用ランプ中継基板８７にも動作電源が供給される。
【００４１】
さらに、図柄表示部の図柄を表示制御する図柄表示装置８８の図柄表示制御基板８９にも動作電源が供給される。そして、該図柄表示制御基板８９は普通図柄表示装置９０と液晶表示ユニット９１とを制御するとともに、それぞれに動作電源を供給する。
【００４２】
また、音声出力を制御する音声制御基板９２、遊技状態を制御するメイン制御基板９３、賞球の払出し制御を行う賞球払出制御基板９４へも電源回路基板２３から動作電源が供給される。
【００４３】
遊技利用時に球を発射動作させる発射ユニット２２は、該発射ユニット２２の発射モータＭ１を駆動制御するために、発射ハンドル１５のタッチセンサ９５、回動量検知ボリューム９６、発射停止スイッチ９７からの信号を受けるように信号ラインを接続し、さらに回路にはハンドルレバー１５ａの回動量を検知した信号を入力している。そして、該発射制御基板３５へも電源回路基板２３から動作電源が供給される。
【００４４】
上述した発射制御基板３５には、発射ハンドル１５に装備される回路装置としてのタッチセンサ９５や発射停止スイッチ９７の信号ラインから入り込む静電気などのノイズを除去するノイズ対策回路９８を搭載している。例えば、ノイズ対策回路９８は、コンデンサ、ダイオード、サージアブソーバ、マイクロギャップなどで構成することができる。
【００４５】
前記電源回路基板２３の電気回路には、外部電源８２を整流する整流回路９９を備え、さらに該整流回路９９の出力で各種の動作電源を生成する図示しない動作電源生成回路を備え、各動作電源生成回路から各基板に必要な動作電源が供給される。
【００４６】
前記発射機能付き電源装置２０のノイズ対策回路９８によれば、遊技者が遊技開始のために発射ハンドル１５に接触したとき、該発射ハンドル１５に備えられたタッチセンサ９５の電極に対して、遊技者の体に帯電していた静電気が放電されると、該静電気ノイズはタッチセンサ９５の電極の信号ラインから発射制御基板３５の発射制御回路１００のノイズ対策回路９８に直接流れ、該回路９８から外部に逃がされる。
【００４７】
この結果、タッチセンサ９５から入り込んだ静電気ノイズを外部に逃がすことができるので、静電気ノイズを他の機能制御基板に入り込ませることが防止され、各基板での誤動作を確実に防止できる。図中、ＣＮ１、ＣＮ２はコネクタを示す。
【００４８】
また、電源ユニット２１と発射ユニット２２とを共通の基台２６上に連設させて、電源回路基板２３と発射制御基板３５とを近づけた配置構成であるため、その間を接続するハーネスの距離が短くなり、ハーネスの持つ内部抵抗を小さくすることができる。このため、大容量の静電気は発射制御基板３５のグランドで放電しにくくなり、発射制御基板３５に実装されたトランジスタやＩＣなどの部品の誤動作を回避できる。
【００４９】
このように構成された発射機能付き電源装置２０が使用されたとき、遊技利用中に素子２４が発熱して次第に高温化しても、図６に示すように、基台２６の一底面に相当する放熱板２８からと、基台２６の一端面に相当する放熱フィン２９からと、素子２４の搭載面側に相当する基台２６の背面との主に３方向から熱吸収して放熱する。このほか、金属製のカバー２７からも若干熱吸収して放熱が行われる。ことに、発熱量の大きいトランジスタ群２４ａに対しては、素子押え板３０を介して放熱板２８より直接熱吸収できるので効率のよい放熱作用が得られる。
【００５０】
この発明の構成と、上述の実施例の構成との対応において、
この発明の遊技機は、実施例のパチンコ遊技機に対応し、
以下同様に、
遊技球発射機構は、発射ユニット２２に対応し、
放熱部材は、基台２６及び該基台２６の一部である放熱板２８と放熱フィン２９とからなる放熱部２５に対応するも、この発明は上述の一実施例の構成のみに限定されるものではなく、請求項に記載された技術思想に基づいて応用することができる。例えば、実施例ではパチンコ遊技機の発射機能付き電源装置２０を説明したが、アレンジボール式遊技機などの他の遊技機においても利用することができる。
【図面の簡単な説明】
【００５１】
【図１】パチンコ遊技機の遊技台の表側を示す外観斜視図。
【図２】パチンコ遊技機の遊技台の裏側を示す外観斜視図。
【図３】発射機能付き電源装置の裏側を示す外観斜視図。
【図４】発射機能付き電源装置の表側を示す外観斜視図。
【図５】発射機能付き電源装置の平面図。
【図６】発射機能付き電源装置の内部構造を示す斜視図。
【図７】発射機能付き電源装置の分解斜視図。
【図８】発射機能付き電源装置のブロック回路図。
【符号の説明】
【００５２】
１１…遊技台
１５…発射ハンドル
２０…発射機能付き電源装置
２１…電源ユニット
２２…発射ユニット
２３…電源回路基板
２４，２４ａ，２４ｂ…素子
２５…放熱部
２６…基台
２７…カバー
２８…放熱板
２９…放熱フィン
３５，８５，８９，９２，９３，９４…制御基板
【図１】
2006198121.tif 000003
【図２】
2006198121.tif 000004
【図３】
2006198121.tif 000005
【図４】
2006198121.tif 000006
【図５】
2006198121.tif 000007
【図６】
2006198121.tif 000008
【図７】
2006198121.tif 000009
【図８】
2006198121.tif 000010